(57)【要約】  レーザ駆動装置（１０）は、レーザ光を照射する照射手段（４０）と、あらかじめ設定される複数の設定値及び設定値間の遷移の順序を保持する記憶手段（１５）と、複数の設定値のうち、一の設定値から他の設定値へと遷移するタイミングを示すトリガ信号を取得するトリガ手段（１１）と、設定値間の遷移の順序の進行方向を指示する順序変更信号を取得する順序変更手段（１２）と、トリガ信号の信号レベルの変化に応じたタイミングにおいて、設定値間の遷移の順序に基づいて、出力される設定値を決定する出力決定手段（１３）と、決定された設定値をアナログ信号へと変換し、照射手段へと出力するＤＡ変換回路（１６）とを備える。
2010052778.tif 000002
【特許請求の範囲】
【請求項１】
設定値に応じたパワーのレーザ光を照射する照射手段と、
あらかじめ設定される複数の前記設定値を保持する記憶手段と、
前記設定値間の遷移の順序を規定する順序規定手段と、
複数の前記設定値のうち、一の前記設定値から他の前記設定値へと遷移するタイミングを示すトリガ信号を取得するトリガ手段と、
前記設定値間の遷移の順序の進行方向を指示する順序変更信号を取得する順序変更手段と、
前記トリガ信号の信号レベルの変化に応じたタイミングにおいて、前記順序変更信号の信号レベルに応じて設定される前記設定値間の遷移の順序に基づいて、出力される前記設定値を決定する出力決定手段と、
決定された前記設定値をアナログ信号へと変換し、前記照射手段へと出力するＤＡ変換回路と
を備えることを特徴とするレーザ駆動装置。
【請求項２】
前記出力決定手段は、前記トリガ信号の信号レベルが変化するタイミングのみにおいて、前記設定値間の遷移の順序に基づいて出力される前記設定値を決定することを特徴とする請求の範囲第１項に記載のレーザ駆動装置。
【請求項３】
前記順序変更信号は、(i)前記設定値間の遷移の順序の進行方向を、順送り及び逆送りの一方に指示する信号、及び(ii)一時的に所定の前記設定値を適用させるとともに、次の一連のレーザ光の照射を所定の前記設定値において開始させる、遷移の打ち切りを指示する信号を含むことを特徴とする請求の範囲第１項または第２項に記載のレーザ駆動装置。
【請求項４】
前記出力決定手段は、前記順序変更信号が取得された後、予め設定される所定のタイミングにおいて前記順序変更信号を適用することを特徴とする請求の範囲第３項に記載のレーザ駆動装置。
【請求項５】
前記出力決定手段は、一連のレーザ光照射の開始時において、前記順序変更信号の信号レベルに応じて、前記設定値間の遷移の順序を変更することを特徴とする請求の範囲第１項から第４項のいずれか一項に記載のレーザ駆動装置。
【請求項６】
前記順序規定手段は、複数の前記設定値間の遷移の順序を保持し、
前記出力決定手段は、前記トリガ信号の信号レベルの変化に応じたタイミングにおいて、複数の前記設定値間の遷移の順序のうちのいずれか一つに基づいて出力される前記設定値を決定することを特徴とする請求の範囲第１項から第５項のいずれか一項に記載のレーザ駆動装置。
【請求項７】
複数の前記ＤＡ変換回路と、
複数の前記ＤＡ変換回路から夫々出力される複数の前記アナログ信号のうち、前記照射手段へと実際に出力される前記アナログ信号を選択する出力選択手段を更に備え、
前記出力決定手段は、複数の前記ＤＡ変換回路に対して、次の前記トリガ信号が取得されるタイミングにおいて決定される可能性のある前記設定値を入力するとともに、
前記出力選択手段は、次の前記トリガ信号の信号レベルが変化するタイミングにおいて、前記設定値間の遷移の順序に基づいて、前記照射手段へと実際に出力される前記アナログ信号を選択することを特徴とする請求の範囲第１項から第６項のいずれか一項に記載のレーザ駆動装置。
【請求項８】
前記トリガ手段は、複数の前記トリガ信号を取得し、
複数の前記トリガ信号のうち、少なくとも一つの前記トリガ信号に基づいて、前記設定値が遷移するタイミングが示されることを特徴とする請求の範囲第１項から第７項のいずれか一項に記載のレーザ駆動装置。
【請求項９】
前記トリガ手段は、前記トリガ信号に加えて、前記トリガ信号の判定に用いられるスライスレベル信号をも取得することを特徴とする請求の範囲第１項から第８項のいずれか一項に記載のレーザ駆動装置。
【請求項１０】
前記出力決定手段は、前記トリガ信号の波形における立ち上がりエッジ及び立ち下がりエッジのいずれか一方のみにおいて、出力される前記設定値を決定することを特徴とする請求の範囲第１項から第９項のいずれか一項に記載のレーザ駆動装置。
【請求項１１】
請求の範囲第１項から第１０項のいずれか一項に記載のレーザ駆動装置に接続され、
前記トリガ手段に対して前記トリガ信号を供給するトリガ信号供給手段と、
前記順序変更手段に対して前記順序変更信号を供給する順序変更信号供給手段と
を備えることを特徴とする信号処理回路。
【請求項１２】
請求の範囲第１項から第１０項のいずれか一項に記載のレーザ駆動装置を備えることを特徴とする情報記録装置。
【発明の詳細な説明】
【技術分野】
【０００１】
本発明は、光ディスクなどの情報記録媒体に対しレーザ光を照射することで情報の記録を行う情報記録装置に備えられ、レーザ光の出力を変動させつつ照射を行うよう制御するレーザ駆動装置、該レーザ駆動装置に備えられる信号処理回路及び該レーザ駆動装置が備えられる情報記録装置の技術分野に属する。
【背景技術】
【０００２】
例えば光ディスクなどの情報記録媒体においては、レーザダイオードから光ディスクに向けてレーザ光が照射されることで、該光ディスク上に記録マークないしは記録ピットが形成される。これにより、光ディスクにデータが記録される。レーザダイオードには、該レーザダイオードが動作するために必要な動作電圧が印加されるように、電源から一定の電源電圧が供給されている。そして、レーザダイオードから照射されるレーザ光は、トランジスタ等を含むレーザドライバ回路の動作により、その波形やパワーが制御される。特に、多値レベル化及びパルス分割されたレーザ光の波形やパワーのパターンをライトストラテジと言う。【０００３】
このような、ライトストラテジを実現するためには、高速且つ連続的に変化するパルス化されたレーザ光の波形及びパワーを制御することが必要であり、従来、幾つかの手法が用いられている。【０００４】
例えば、レーザダイオードに対し、複数通りのパワーのレーザ光を照射させるための電流を供給する複数の電流源を備え、その電流源にそれぞれ対応するコントロール入力により電流源からの電流の供給を直接切り替えることでレーザダイオードへの供給電流を変化させ、レーザダイオードのレーザ光のパワーを変化させる、所謂コンベンショナル型と呼ばれる手法がある。【０００５】
また、特許文献１には、レーザ駆動装置に対して、マーク長を指示するＮＲＺＩ（Non Return to Zero Inversion）信号と、該ＮＲＺＩ信号の基準となるクロック信号を伝送し、レーザ駆動装置の内部でクロックを逓倍することで十分短い間隔の内部クロックを生成し、これをカウントすることでストラテジパターンを再現する、ストラテジブロックを内蔵する構成が開示されている。【０００６】
【特許文献１】特許３５２８６１２号公報
【発明の開示】
【発明が解決しようとする課題】
【０００７】
しかしながら、上述したコンベンショナル型の方法によれば、幅の細いパルス信号が必要とされるライトストラテジにおいては、電流源からの電流の供給を切り替えるための制御信号も幅の細いパルスである必要があるため、信号伝送が比較的困難になるという技術的問題がある。また、レーザ光のパワーを変化させるために、例えば一の電流源からの電流の供給をオフにするとともに、他の電流源からの電流の供給を開始するなど、同タイミングで複数の電流源からの電流の供給を切り替えることが求められることがある。このような場合、複数の電流源への制御を同期させる必要があるため、信号伝送は厳密にタイミング管理される必要がある。例えば、複数の電流源への制御に時間的なズレが生じる場合、レーザ光においてパワーの超過や欠落などが生じるという技術的な問題が指摘されている。【０００８】
他方で、ストラテジブロック内蔵タイプは、幅の細いパルス信号を生成する構成と、該パルス信号に基づいて電流を変化させる構成とが、ともにレーザ駆動装置内部にあるため、タイミングの管理が比較的容易に行うことが出来るという利点がある。【０００９】
しかしながら、十分に幅の細いパルス信号を生成するためには、外部クロック信号に基づいて、逓倍処理などによって生成される内部クロック信号の周波数が高くなり（つまり、高速化し）、また、高速のクロック信号に従って内部パルス信号を生成する回路も大規模となってしまう。このため、レーザ駆動装置全体での処理量が増加することとなり、結果として発熱量の増大、チップ面積の増大などに繋がってしまう。【００１０】
本発明は、例えば上述した従来の問題点に鑑みなされたものであり、例えば制御信号におけるパルス幅を所定の長さ以上に保ちつつ、比較的小規模の回路構成によって、レーザ光の多様なパワー変化に対応したライトストラテジを実現し得るレーザ駆動装置を提供することを課題とする。
【課題を解決するための手段】
【００１１】
上記課題を解決するために、本発明のレーザ駆動装置は、設定値に応じたパワーのレーザ光を照射する照射手段と、あらかじめ設定される複数の前記設定値を保持する記憶手段と、前記設定値間の遷移の順序を規定する順序規定手段と、複数の前記設定値のうち、一の前記設定値から他の前記設定値へと遷移するタイミングを示すトリガ信号を取得するトリガ手段と、前記設定値間の遷移の順序の進行方向を指示する順序変更信号を取得する順序変更手段と、前記トリガ信号の信号レベルの変化に応じたタイミングにおいて、前記順序変更信号の信号レベルに応じて設定される前記設定値間の遷移の順序に基づいて、出力される前記設定値を決定する出力決定手段と、決定された前記設定値をアナログ信号へと変換し、前記照射手段へと出力するＤＡ変換回路とを備える。【００１２】
上記課題を解決するために、本発明の信号処理回路は、上述のレーザ駆動装置に接続され、前記トリガ手段に対して前記トリガ信号を供給するトリガ信号供給手段と、前記順序変更手段に対して前記順序変更信号を供給する。【００１３】
上記課題を解決するために、本発明の情報記録装置は、上述のレーザ駆動装置を備える。【００１４】
本発明の作用及び他の利得は次に説明する実施の形態から明らかにされよう。
【図面の簡単な説明】
【００１５】
【図１】本実施例に係るＬＤドライバの基本的な構成例を概念的に示すブロック図である。
【図２】本実施例に係るＬＤドライバによるライトストラテジの一例を示す図である。
【図３】本実施例に係るＬＤドライバによるライトストラテジの一例を示す図である。
【図４】本実施例に係るＬＤドライバによるライトストラテジの一例を示す図である。
【図５】本実施例に係るＬＤドライバによるライトストラテジの一例を示す図である。
【図６】本実施例に係るＬＤドライバによるライトストラテジの一例を示す図である。
【図７】本実施例に係るＬＤドライバによるライトストラテジの一例を示す図である。
【図８】本実施例に係るＬＤドライバによるライトストラテジの一例を示す図である。
【図９】本実施例に係るＬＤドライバの第１変形例を概念的に示すブロック図である。
【図１０】本実施例に係るＬＤドライバの第２変形例を概念的に示すブロック図である。
【図１１】本実施例に係る情報記録装置の基本的な構成例を概念的に示すブロック図である。
【符号の説明】
【００１６】
１  情報記録装置、
１０  ＬＤドライバ、
１１  トリガ信号判定部、
１２  順序変更信号処理部、
１３  シーケンサ、
１４  セレクタ、
１５  パワー値保持部、
１６  ＤＡＣ、
１７  出力バッファ、
１８  出力選択部、
２０  信号処理回路、
２１  トリガ信号生成部、
２２  順序変更信号生成部、
３０  ホストコンピュータ、
４０  レーザダイオード
【発明を実施するための最良の形態】
【００１７】
本発明のレーザ駆動装置に係る実施形態は、設定値に応じたパワーのレーザ光を照射する照射手段と、あらかじめ設定される複数の前記設定値を保持する記憶手段と、前記設定値間の遷移の順序を規定する順序規定手段と、複数の前記設定値のうち、一の前記設定値から他の前記設定値へと遷移するタイミングを示すトリガ信号を取得するトリガ手段と、前記設定値間の遷移の順序の進行方向を指示する順序変更信号を取得する順序変更手段と、前記トリガ信号の信号レベルの変化に応じたタイミングにおいて、前記順序変更信号の信号レベルに応じて設定される前記設定値間の遷移の順序に基づいて、出力される前記設定値を決定する出力決定手段と、決定された前記設定値をアナログ信号へと変換し、前記照射手段へと出力するＤＡ変換回路とを備える。【００１８】
本発明のレーザ駆動装置に係る実施形態によれば、順序規定手段によって、記憶手段にあらかじめ保持される複数のレーザ光パワーの設定値の一の値から他の値へと遷移する際の設定値間の遷移の順序が規定される。そして、出力決定手段によって、トリガ手段が取得するトリガ信号により示されるタイミング（より具体的には、トリガ信号の信号レベルの変化に応じたタイミング）において、一の設定値から他の設定値へと、遷移の順序に従ってレーザ光のパワーの設定値が変更される。変更されたレーザ光のパワーの設定値は、ＤＡ変換回路を通じて照射手段へと入力され、該設定値に応じたパワーでレーザ光の照射が実施される。【００１９】
ここに、レーザ光のパワーの設定値とは、照射手段に複数のパワーのレーザ光を照射させるために、複数のパワー夫々に対応してあらかじめ設定され、記憶手段に格納される設定値である。このような複数の設定値のうち、後述する設定値間の遷移の順序に基づいて出力される設定値が出力決定手段により決定され（言い換えれば、読み取られ）、ＤＡ変換回路へと出力される。【００２０】
また、設定値間の遷移の順序とは、前述した複数の設定値のうち、一の設定値から他の設定値へと遷移する際の遷移の順序を示す趣旨であり、好適には、順序規定手段によって複数の設定値の夫々を網羅するように一意に規定される。このとき、設定値間の遷移の順序においては、同一の設定値が重複して異なる順番で設定されていても良い。例えば、Ａ、Ｂ、Ｃという３つの相異なる設定値が設定されている場合、設定値間の遷移の順序として、Ａ→Ｂ→Ｃ→ＡやＣ→Ｂ→Ａ→Ｃなどの順序に加えて、Ａ→Ｂ→Ａ→Ｃ→Ａなどのように、一連の流れの中で同一の設定値が複数回登場する順序もまた規定されて良い。【００２１】
本発明のレーザ駆動装置に係る実施形態によれば、トリガ手段により取得されるトリガ信号の信号レベルが変化するたびに、上述の設定値間の遷移の順序に従って、出力される設定値が遷移する。言い換えれば、トリガ信号の信号レベルが変化するたびに、新しいレーザ光のパワーを示す設定値がＤＡ変換回路へと出力され、結果として照射されるレーザ光のパワーが遷移する。【００２２】
ここに、トリガ信号は、レーザ光のパワーの遷移（つまりは、設定値の遷移）を実行するタイミングを示す、例えば、２値的な信号レベルを有するパルス状の信号である。このようなトリガ信号の信号波形を監視することによって、例えば、該トリガ信号の立ち上がりや立ち下がりのタイミングに応じて、設定値の遷移が実行される。従って、予め設定される設定値と設定値間の遷移の順序を調整することで、所望のライトストラテジを実現することが出来る。【００２３】
また、このようなトリガ信号によれば、例えばパルス状である該トリガ信号の信号レベルの変化に応じてレーザ光のパワーを所定の遷移の順序に従って遷移させられる。また、或る一つのタイミングにおいて、単一のトリガ信号による遷移のみが行われるよう設定することで、例えば、コンベンショナル型のレーザダイオードドライバに見られるような、複数のコントロール入力信号間のスキューなどに起因するパワーの過剰出力や欠落などが発生する技術的問題を好適に解消することが出来る。また、順序規定手段の動作によれば、設定値間の遷移の順序を調整することで、多様なライトストラテジに対応する設定値の遷移の順序をあらかじめ規定しておくことが出来、例えば、ストラテジブロックを内蔵する従来型のＬＤＤに比較して、より小規模なロジックでのライトストラテジを実現できる。【００２４】
また、本発明のレーザ駆動装置に係る実施形態によれば、特に、順序変更手段により取得される順序変更信号の状態（例えば、信号レベル）に基づいて、設定値間の遷移の順序が変更される。ここに、順序変更信号は、典型的には、二値的な信号レベルを有する信号であって、典型的には、上述のトリガ信号に比較して長いスパンでの状態の変化が許容される。このような順序変更信号による制御として、例えば、設定値間の遷移の順序の進行方向を順送りまたは逆送りの一方に指定したり、遷移の順序において次に設定される一つあるいは複数の設定値をスキップしたり、所定の順番へとジャンプするような制御が実施される。更に、後に詳述するように、一連の設定値の遷移を打ち切り、所定の設定値を設定するような所謂シーケンスの打ち切り制御が実施されても良い。このような順序変更信号による設定値の遷移の順序の制御を行うことで、記憶手段に格納される設定値の数をより少なく抑えた上で、多様なライトストラテジを実現することが出来るため、記憶手段の、ひいては当該レーザ駆動装置の回路構成をより小規模とすることが出来る。【００２５】
更に、例えば、該順序変更信号の信号レベルが所定レベルである期間に、トリガ信号の信号レベルが変化した場合に、設定値間の遷移の順序を逆送りとして扱うように設定すれば、順序変更信号の信号レベルの変化の態様をトリガ信号の信号レベルの変化の態様ほど厳密に設定しなくとも上述の効果を享受することが出来る。例えば、設定値間の遷移の順序を逆送りに変更されるタイミングを示すトリガ信号の信号レベルが変化するタイミング以前であって、一つ前のトリガ信号（つまり、順送りで設定値の遷移を行うための信号）の信号レベルが変化するタイミング以降の任意のタイミングにおいて順序変更信号の信号レベルの制御を実施することで、好適に所望のトリガ信号における遷移の順序を変更することが出来る。【００２６】
また、順序変更手段は、例えば、複数の順序変更信号を取得出来るよう構成されていても良く、このとき、複数の順序変更信号の夫々の信号レベルなどの状態の組み合わせにより、上述した各制御が実施されるよう構成されても良い。このように構成すれば、より複雑な遷移の順序変更制御を実現することが出来、より少ない設定値より構成される遷移の順序を用いて、より多様なライトストラテジを実現することが出来る。【００２７】
以上、説明したように、本発明のレーザ駆動装置に係る実施形態によれば、設定値の遷移のタイミングを制御するトリガ手段と、設定値間の遷移の順序の変更を制御する順序変更手段の動作によって、あらかじめ設定される比較的少ない数の設定値から構成される遷移の順序を用いて、比較的多くの設定値間の遷移を実現出来る。従って、比較的小規模なロジック構成であっても、多様なライトストラテジを実現することが出来る。【００２８】
本発明のレーザ駆動装置に係る実施形態の一の態様は、前記出力決定手段は、前記トリガ信号の信号レベルが変化するタイミングのみにおいて、前記設定値間の遷移の順序に基づいて出力される前記設定値を決定する。【００２９】
この態様によれば、トリガ信号の信号レベルが変化するタイミング（例えば、トリガ信号が立ち上がるタイミングや、トリガ信号が立ち下がるタイミング等）のみにおいて、上述した設定値の遷移が実施される。言い換えれば、例えば、順序変更信号の状態の変更などによっては、設定値の遷移は実施されない。【００３０】
このように構成すれば、厳密なタイミングの管理が要求されるライトストラテジを実現するためには、典型的には、トリガ信号の状態の変更のタイミングのみを厳密に管理すれば良く、従って、その他の、例えば順序変更信号の状態の変更などのタイミング管理の厳密さを比較的緩和することが出来る。このことから、トリガ手段及びトリガ信号の伝送系に比較して、その他の例えば順序変更信号の伝送系が低速な回路構成であっても、所望のライトストラテジを実現出来る。【００３１】
本発明のレーザ駆動装置に係る実施形態の他の態様は、前記順序変更信号は、(i)前記設定値間の遷移の順序の進行方向を、順送り及び逆送りの一方に指示する信号、及び(ii)一時的に所定の前記設定値を適用させるとともに、次の一連のレーザ光の照射を所定の前記設定値において開始させる、遷移の打ち切りを指示する信号を含む。【００３２】
この態様によれば、順序変更手段が取得する順序変更信号を用いた制御により、設定値の遷移の順序を順送り、または逆送りに指定することが出来る。また、例えば、順序変更信号の状態の変化によって、遷移の順序の進行を順送り及び逆送りのいずれにするかを制御するよう構成すれば、一連の遷移の順序における特定の設定値の遷移の繰返し動作などを比較的簡単に指示することが出来る。【００３３】
上述した特定の設定値の遷移の繰返し動作の例として、典型的には、所定の間隔でパルス状に低パワー状態と高パワー状態とを繰り返すマルチパルス波形のライトストラテジなどがある。このとき、本態様によれば、例えば、低パワー設定値Ａ→高パワー設定値Ｂ→低パワー設定値Ａ、というように設定される遷移の順序において、設定値がＡ→Ｂ→Ａ→Ｂ→Ａの順序で遷移するよう順序変更信号を設定することで、マルチパルス波形のライトストラテジが実現出来る。更に、同じ波形を構成する場合に、例えば、低パワー設定値Ａと同一設定値である低パワー設定値Ｃを利用することによって、設定値がＡ→Ｂ→Ｃ→Ｂ→Ａの順序で遷移するよう順序変更信号を設定することで、順序変更手段の状態変化の間隔を広げつつ、パワー設定値を繰り返し利用することが出来る。このため、マルチパルス波形の構成に必要なパワーの設定値を一時保存するための（言い換えれば、低パワー設定値から高パワー設定値へ切り替えるための）レジスタセットを減少させることが出来る。従って、比較的小規模な回路構成で、所望のライトストラテジを実現出来る。【００３４】
更に、順序変更信号は、設定値の遷移の順序を所定の設定値までスキップさせるような制御を行うよう構成されていても良い。このように構成することで、特定のマーク長にのみ、あるパワー設定値を挿入することができる。また、スキップする所定の設定値を、マーク部の開始以前の状態とすることで、一連のレーザ光の照射を終了し、設定値を、通常の遷移の順序に従うことなく、所定の値に決定する（言い換えれば、所定の値にまで遷移の順序をスキップする）、所謂打ち切り動作を実現することが出来る。【００３５】
ここに、一連のレーザ光の照射とは、例えば、記録媒体に記録される信号に応じて規定される各データマーク部を形成するためのレーザ光の照射を示す趣旨であって、シーケンスとも称される（以下、シーケンスと記載する）。典型的に、記録マークにより規定されるマーク部外の領域（つまり、マーク部とマーク部との間）では、照射手段は、所定のパワーでレーザ光を照射するよう構成されている。【００３６】
従って、このように構成すれば、異なるマーク長を有するマーク部の夫々に対して、任意の位置でシーケンスを終了させることで、比較的小規模な回路構成で、所望のライトストラテジを実現出来る。【００３７】
また、打ち切り前の設定値を保持しておき、次回のシーケンス開始時に、保持されている設定値から設定値の遷移を実施するよう構成されていても良い。これによっても、小規模な回路構成でより多様なライトストラテジを実現することが出来る。【００３８】
上述の如く順序変更信号が(i)遷移の順序の進行方向を、順送り及び逆送りの一方に指示する信号、及び(ii)遷移の打ち切りを指示する信号を含むレーザ駆動装置の態様では、前記出力決定手段は、前記順序変更信号が所定の信号レベルとなった後、予め設定される所定のタイミングにおいて前記順序変更信号を適用するように構成してもよい。【００３９】
このように構成すれば、例えば、順序変更信号がｏｎとなった（具体的には、例えば順序変更信号の信号レベルがハイレベルとなった）後に最初に信号レベルが変化するトリガ信号の信号レベルが変化するタイミングにおいて、順序変更信号による制御を実施する代わりに、順序変更信号がｏｎとなってから所定のタイミングの後において順序変更信号による制御が実施される。例えば、順序変更信号によって、設定値の遷移の順序変更が指示されている状態でトリガ信号の信号レベルが変化した後、実際には、２つ目のトリガ信号の信号レベルが変化するタイミングにおいて、設定値の遷移の順序が変更されるよう制御される。【００４０】
ライトストラテジのパターンによっては、例えば、シーケンスの終了間際に比較的高速且つ連続的にパワーの変化が必要となる場合がある。このような場合に、最後のパワー変化を指定するトリガ信号に対してシーケンスの打ち切りを指示する順序変更信号を入力するためには、順序変更信号にも厳密なタイミング管理が必要となる。このため、高速且つ厳密なタイミング管理のされた順序変更手段が必要となるため、回路構成が複雑となったり、伝送路の構成が比較的困難となってしまうという技術的な問題が生じる。【００４１】
他方で、一般的に、このような立て続けにパワー変化が要求される領域は限られており、その前の部分にはいずれのマーク長に対してもパワー変化の間隔が広い部分が存在することが普通である。従って、このようなパワー変化の間隔の広い部分において、タイミングを指定しつつシーケンスの打ち切りを指定する順序変更信号を用いれば、順序変更手段における厳密なタイミング管理を行う必要がなくなる。このような順序変更信号による制御のタイミング指定は、例えば、所定の指示（例えば、シーケンスの打ち切りなど）を示す順序変更信号に対してのみ行われるよう構成されていても良い。その他、任意の順序変更信号に対してのみタイミングの指定を行うよう構成しても良く、他方で、全ての順序変更信号に対してタイミングの指定を行っても良い。【００４２】
更に、シーケンスの打ち切りを示す順序変更信号が、幾つか後のトリガ信号の信号レベルが変化するタイミングにおいて実施されるよう入力された場合、シーケンスの打ち切りが認識されたトリガ信号の信号レベル変化以降は、次のシーケンス開始時まで順序変更信号の状態を無視するよう構成しても良い。このように構成すれば、打ち切り指示後の順序変更信号の状態が、次のシーケンスに影響することを好適に抑制することが出来る。この結果、パワー変化の間隔が広い部分で指示された打ち切りの指示に対し、その後の比較的高速かつ連続的なパワー変化の時点で、順序変更信号がいかなる状態であっても現在のシーケンスは終了し、次のシーケンスに影響を与えないため、順序変更信号が終了状態から初期状態へと変化する時間に余裕ができ、よって比較的低速の順序変更信号を使用することができるのである。【００４３】
本発明のレーザ駆動装置に係る実施形態の他の態様は、前記出力決定手段は、一連のレーザ光照射の開始時において、前記順序変更信号の信号レベルに応じて、前記設定値間の遷移の順序を変更する。【００４４】
この態様によれば、シーケンスの開始時の順序変更信号の状態に基づいて、シーケンス開始時に決定される設定値や、次に決定される設定値の遷移の順序が変更される。【００４５】
典型的に、シーケンスが初期状態にある場合、シーケンスの開始時の最初のトリガ信号の変化のタイミングにおいては、設定値がとり得る値は、設定値の遷移の順序における最初の設定値である。また、シーケンス開始後の二つ目のトリガ信号の変化のタイミングにおいては、設定値がとり得る値は、設定値の遷移の順序における次の設定値である。つまり、シーケンスが初期状態にある場合、順序変更信号による設定値の遷移の順序の変更制御の必要がない。【００４６】
そこで、このような態様によれば、シーケンスの開始時における順序変更信号の解釈を変更することで、例えば、シーケンス開始時の最初の設定値や、続く設定値の遷移の順序をあらかじめ指定することが出来る。より具体的には、例えば、設定値の遷移の順序をスキップさせるなどによって、所望の設定値からシーケンスを開始するよう変更することが出来る。【００４７】
また、シーケンス開始から、シーケンスの終了までの設定値の遷移の順序をすべて変更するよう制御しても良く、他方で、シーケンスの開始時にのみ遷移の順序の態様の変更を適用させても良い。このように構成すれば、小規模な回路構成でより多様なライトストラテジを実現することが出来る。【００４８】
本発明のレーザ駆動装置に係る実施形態の他の態様は、前記記憶手段は、複数の前記設定値間の遷移の順序を保持し、前記出力決定手段は、前記トリガ信号の信号レベルの変化に応じたタイミングにおいて、複数の前記設定値間の遷移の順序のうちのいずれか一つに基づいて出力される前記設定値を決定する。【００４９】
この態様によれば、あらかじめ設定される複数の設定値間の遷移の順序を用いることで、所望のライトストラテジを実現出来る。一般的に、データの記録を行う情報記録装置においては、実際に使用されるライトストラテジの波形は、一つのシーケンスにおけるパワーの遷移の様子によって幾つかのタイプに分類することが出来る。このような波形の例として、例えば、マルチパルス型、Ｌ型、キャッスル型のライトストラテジが知られている。また、各タイプの波形においては、データが記録されるマーク部のマーク長に応じて、波形の概形が異なる態様が存在する。例えばキャッスル型のライトストラテジであっても、比較的短マークなマーク部に対しては、モノパルスで記録を行い、長マーク部に対しては、所謂キャッスル型で記録を行うものなどがある。【００５０】
しかしながら、このような概形の変化を考慮したとしても、実際のデータの記録に用いられるライトストラテジの波形のタイプはそれほど多くはない。そこで、予想されるパワーの遷移の様子に対応した複数の設定値間の遷移の順序（以降、シーケンスパターンと記載する）をあらかじめ記憶手段に格納しておき、シーケンスの開始時に、用いられるシーケンスパターンを決定することで、比較的簡単に（例えば、トリガ信号の信号レベルの変化に応じて順次設定値を遷移させるだけで）好適なライトストラテジの実現が出来る。【００５１】
このようなシーケンスパターンは、一つのシーケンスの開始から終了に対して適用されるよう、例えば各マーク長に合わせて複数種類用意されていても良い。このように構成すれば、一つのマーク部に対し、そのマーク長に対応したシーケンスパターンでの記録が行われた後、自動的にシーケンスが終了される（つまり、所定のパワーでレーザ光を照射する設定値が決定される）。【００５２】
また、シーケンスパターンと順序変更信号による制御とを組み合わせることで、比較的少数のシーケンスパターンを用意しているだけでも、順序変更信号による順序変更制御によって多様なライトストラテジを実現することが出来る。例えば、マルチパルス型のライトストラテジなどに対して、所定の設定値の遷移を順序変更制御によって繰り返させることで、マーク長の夫々異なるライトストラテジにも対応することが出来る。逆に、シーケンスパターンの最中に上述した打ち切り動作などによってシーケンスを終了させることでも、多様なライトストラテジの実現につながる。【００５３】
尚、シーケンスパターンの選択は、例えば、設定値の遷移の順序変更の一環として、順序変更手段により取得される順序変更信号に基づいて行われても良く、また、その他何らかの制御のもと行われても良い。【００５４】
また、シーケンスパターンはあらかじめ固定された設定値の選択を行うよう構成されていても良く、また、所定のトリガ信号の信号レベルが変化する順に、決定する設定値が選択可能であるよう構成されていても良い。【００５５】
本発明のレーザ駆動装置に係る実施形態の他の態様は、複数の前記ＤＡ変換回路と、複数の前記ＤＡ変換回路から夫々出力される複数の前記アナログ信号のうち、前記照射手段へと実際に出力される前記アナログ信号を選択する出力選択手段を更に備え、前記出力決定手段は、複数の前記ＤＡ変換回路に対して、次の前記トリガ信号が変化するタイミングにおいて決定される可能性のある前記設定値を入力するとともに、前記出力選択手段は、次の前記トリガ信号の信号レベルが変化するタイミングにおいて、前記設定値間の遷移の順序に基づいて、前記照射手段へと実際に出力される前記アナログ信号を選択する。【００５６】
この態様によれば、複数備えられるＤＡ変換回路の夫々に対し、設定値間の遷移の順序に基づく次回のトリガ信号の信号レベルが変化するタイミングにおいて決定される可能性のある設定値があらかじめ入力される。このように構成すれば、比較的スルーレートが低いＤＡ変換回路を用いたとしても、ＤＡ変換回路における信号処理に要する時間（例えば、セトリングタイム）によってトリガ信号の信号レベルが変化してから、実際に設定値が適用されるまでの間に生じる時間的なズレを好適に軽減することが出来る。【００５７】
尚、設定値間の遷移の順序は、順序変更信号の入力に従って変動する可能性がある。そこで、本態様によれば、複数のＤＡ変換回路の夫々に対して、次に決定される可能性のある設定値をあらかじめ入力しておき、夫々のＤＡ変換回路における信号処理を進めておくことが出来る。このように構成すれば、その後の順序変更信号やトリガ信号の状態に基づいて、実際に照射手段へと出力される設定値を示すアナログ信号を選択して出力することで、好適にトリガ信号の取得から、実際に設定値が適用されるまでの時間的なズレを抑制することが出来る。上述のように、順序変更信号は、該順序変更信号が実際に適用されるトリガ信号に対して十分先立って取得されるため、順序変更信号の状態を確認した後であっても、実際に出力されるアナログ信号を選択することが出来る。【００５８】
本発明のレーザ駆動装置に係る実施形態の他の態様は、前記トリガ手段は、複数の前記トリガ信号を取得し、複数の前記トリガ信号のうち、少なくとも一つの前記トリガ信号に基づいて、前記設定値が遷移するタイミングが示される。【００５９】
この態様によれば、複数のトリガ信号の信号レベルが変化するタイミングの夫々において、設定値の遷移が実施される。より具体的には、複数の信号回路により出力される複数のトリガ信号が、夫々対応する信号線により伝送される。そして、夫々のトリガ信号におけるエッジ抽出などの信号レベルの判定などによって決定されたタイミングにおいて、設定値の決定が実施される。【００６０】
このように構成すれば、一つのトリガ手段がトリガ信号を取得する場合に比較して、ごく短い時間で設定値を複数回遷移するような場合において、順序的に隣接する設定値の遷移タイミングを相異なるトリガ信号によって示すことができるため、各トリガ信号の信号レベルの変化の態様の厳密さを緩和することが出来る。具体的には、例えば、パルス幅０．２Ｔという間隔でのトリガ信号の出力が要求されるライトストラテジにおいても、一のトリガ信号の信号レベルの変化に続いて、０．２Ｔ後のタイミングにおいて他のトリガ信号の信号レベルを変化させることで好適に対応出来る。更に、この場合、個々のトリガ信号のパルス幅を、例えば０．２Ｔ以下に抑える必要もない。従って、比較的低速の回路を用いても、所望のライトストラテジを実現することが出来る。【００６１】
本発明のレーザ駆動装置に係る実施形態の他の態様は、前記トリガ手段は、前記トリガ信号に加えて、前記トリガ信号の判定に用いられるスライスレベル信号をも取得する。【００６２】
この態様によれば、例えば、パルス状の信号であるトリガ信号とともに、該トリガ信号の信号レベルの判定のための閾値を示すスライスレベル信号が取得される。より具体的には、トリガ信号を伝送する信号線に加えて、スライスレベル信号を伝送するための信号線が設けられ、例えば、トリガ信号と同期したタイミングなどでトリガ信号判定のためのスライスレベル信号が伝送される。【００６３】
一般的に、シングルエンドのパルス信号の場合、信号レベルの時間的な変化にはある程度の傾きが存在するため、信号レベルに変化が生じたタイミングから、信号レベルがスライスレベルを超えたと判定されるまでには多少の時間的なズレが生じる。このとき、スライスレベルが信号レベルに対してどのような比率にあるかによって、このような時間的なズレは変化するが、例えば、スライスレベルが信号レベルの１／２より増加した場合、パルス信号の立ち上がり時には、変化が生じたタイミングからスライスレベルを上回るまでの時間的なズレは増大する一方で、パルス信号の立ち下がり時には、変化が生じたタイミングからスライスレベルを下回るまでの時間的なズレは減少する。従って、信号レベルの判定を波形の立ち上がり時と立ち下がり時の両方で行う場合、上述したとおり立ち上がり時と立ち下がり時とで逆方向に生じる時間的なズレが加算されるため、パルス幅によってレーザ光のパワーの設定値の遷移のタイミングを指定するシングルエンドの伝送方法においては、ライトストラテジの精度が低下してしまうという技術的な問題がある。この現象はパルス信号の送り側と受け手側においてスライスすべきレベルが異なってしまうことが原因となる。【００６４】
本態様によれば、トリガ信号とともに、信号の送り側のスライスレベル信号が伝送される。そして、トリガ信号の信号レベルがスライスレベルの信号レベルを上回る、または下回るタイミング（つまり、トリガ信号とスライスレベル信号の夫々の波形が交差するタイミング）において、設定値の決定処理が実施される。このとき、トリガ信号のレベルと、スライスレベルのいずれも信号の送り手側で決定されるため、送り手側と受け手側に電源電圧やグランドレベルの差異があったとしても、送り手側の意図するレベルでのスライスが可能となり、上述したトリガ信号の時間的なズレに起因するパルス幅の変動を抑制することが出来る。結果、好適に所望のライトストラテジを実現することが出来る。【００６５】
また、上述したように複数のトリガ信号を用いる場合であっても、単一の送り手から送られるトリガ信号のレベルは同一であるため、一本の信号線だけを用いて一通りのスライスレベル信号の伝送を行えば、上述した効果を享受出来る。このため、後に詳述する差動伝送の態様と比較して、より少ない信号線を用いる構成で、上述したトリガ信号の時間的なズレに起因するパルス幅の変動を抑制することが出来る。結果、好適に所望のライトストラテジを実現することが出来る。【００６６】
本発明のレーザ駆動装置に係る実施形態の他の態様は、前記出力決定手段は、前記トリガ信号の波形における立ち上がりエッジ及び立ち下がりエッジのいずれか一方がスライスレベルを超えるタイミングにおいて、出力される前記設定値を決定する。【００６７】
この態様によれば、例えば、パルス状の信号であるトリガ信号において、波形の立ち上がりの際の信号レベルがスライスレベルを超える（つまり、上回る）タイミングと、波形の立ち下がりの際の信号レベルがスライスレベルを超える（つまり、下回る）タイミングとのいずれか一方のタイミングにおいて、出力される設定値が決定される。【００６８】
従来、比較的高速で遷移する信号の伝送には、例えば、ＬＶＤＳ（Low voltage differential signaling）などの差動信号が用いられてきた。より具体的には、ＬＶＤＳなどの作動信号においては、互いに逆位相の信号を伝送する２本の信号線を用い、一方の信号線における信号レベルが、他方の信号線の信号レベルを上回る場合に「１」、下回る場合に「０」となるよう設定される。このような差動信号を用いれば、上述したシングルエンド信号における信号検出の時間的なズレに起因するパルス幅の変動を排除することが出来る。他方で、信号線の数が２倍に増えることと、比較的短いパルス幅のトリガ信号を伝送するためには、夫々の信号線において高速な応答をすることなどが必要となる。【００６９】
そこで、本態様のように構成することで、上述した時間的なズレが一方向のみに現れることから、シングルエンドの伝送方法を用いつつも、パルス幅の変動を好適に排除することが出来る。また、２本の信号線を用いる場合、差動伝送においては、パルス信号の伝送のために、該パルス信号そのものを伝送する必要があるため、比較的短いパルス信号の伝送には、高速な応答が必要とされる。他方で、差動伝送の態様を採らず、２本の信号線を用いる場合（つまり、上述の、複数のトリガ手段を備える態様を採る場合）、本態様のように信号の判定タイミングを設定することで、パルス信号の開始と終了を夫々独立した信号線における信号の立ち上がり、または立ち下がりによって表すことが出来るため、信号入力のタイミングにさえ注意していれば、個々の信号のパルス幅が受ける制限が比較的に緩和される。【００７０】
本発明の信号処理回路に係る実施形態は、上述した本発明のレーザ駆動装置に係る実施形態（但し、その各種態様を含む）に接続され、前記トリガ手段に対して前記トリガ信号を供給するトリガ信号供給手段と、前記順序変更手段に対して前記順序変更信号を供給する。【００７１】
本発明の信号処理回路に係る実施形態によれば、上述したトリガ信号及び順序変更信号を好適に供給することが出来る。このように構成すれば、好適に上述したレーザ駆動装置の各効果を享受することが出来る。【００７２】
本発明の情報記録装置に係る実施形態は、上述した本亜発明のレーザ駆動装置に係る実施形態（但し、その各種態様を含む）を備える。【００７３】
本発明の情報記録装置に係る実施形態によれば、上述したレーザ駆動装置の各効果を享受しながら、例えば光ディスクなどの情報記録媒体に対し、好適に情報の記録を行うことが出来る。【００７４】
以上説明したように、本実施形態に係るレーザ駆動装置によれば、照射手段と、記憶手段と、順序規定手段と、トリガ手段と、順序変更手段と、出力決定手段と、ＤＡ変換回路とを備える。本実施形態に係る信号処理回路によれば、トリガ信号供給手段と、順序変更信号供給手段とを備える。本実施形態に係る情報記録装置は、本実施形態に係るレーザ駆動装置を備える。従って、制御信号におけるパルス幅を所定の長さ以上に保ちつつ、比較的小規模の回路構成によって、レーザ光の多様なパワー変化に対応したライトストラテジを実現することができる。
【実施例】
【００７５】
以下、本発明を実施するための最良の形態について図面を参照して説明する。【００７６】
（１）基本構成例
始めに、図１を参照して、本発明の実施例に係るＬＤドライバ（Laser Diode Driver）１０の基本的な構成について説明しながら、該ＬＤドライバ１０の基本的な動作について説明する。ここに、図１は、本実施例におけるレーザ駆動装置の一例であるＬＤドライバ１０の構成を概念的に表すブロック図である。尚、ＬＤドライバ１０は、典型的には、光ピックアップ５２（図１０参照）の内部に設けられ、同じく光ピックアップ５２内に設けられるレーザダイオード（ＬＤ）４０に接続される。このため、ＬＤドライバ１０は後に詳述するように、ライトストラテジに応じてＬＤ４０におけるレーザ光の照射パワーやタイミングを制御することが出来る。また、ＬＤドライバ１０は、典型的には、光ピックアップ５２が設けられる本体基板上に備えられる信号処理回路２０と接続されている。このため、後に詳述するように、外部クロックなどを利用したトリガ信号や順序変更信号などの入力を受けることが出来る。  図１に示されるように、ＬＤドライバ１０は、外部からのトリガ信号の入力を受けて該トリガ信号の処理を行うトリガ信号処理部１１と、外部からの順序変更信号の入力を受けて該順序変更信号の処理を行う順序変更信号処理部１２と、トリガ信号及び順序変更信号に基づいて、レーザダイオード４０において照射されるレーザ光ＬＢのパワー値の変化を制御するためのシーケンサ１３と、シーケンサ１３による制御のもと、選択されるレーザ光ＬＢのパワー値を選択するセレクタ１４と、パワー値に対応し、複数のパワー値の夫々を設定するための設定値が格納されるパワー値保持部１５と、セレクタ１４からのパワー値の入力を受け、該パワー値をレーザダイオード４０に出力するためのＤＡＣ（Digital Analog Convertor）１６と、出力バッファ１７とを備えて構成される。【００７７】
トリガ信号処理部１１は、本実施例における「トリガ手段」の一具体例であって、信号処理回路２０内においてトリガ信号の生成を行うトリガ信号生成部２１に接続され、トリガ信号の入力を受ける。そこで、トリガ信号処理部１１は、入力された典型的にはパルス状の信号であるトリガ信号に対して、例えば所定のスライスレベルを用いたエッジ抽出などの信号処理を行うことによって、後述するパワー変化のタイミングを取得する。【００７８】
尚、トリガ信号の伝送は、好適には、一のトリガ信号に対し二本の信号線を用いて、例えば、公知の差動伝送方式で行われるよう構成されている。他方で、一のトリガ信号に対し一本の信号線を用いたシングルエンド方式で行われるよう構成されていても良い。【００７９】
また、トリガ信号生成部２１は、夫々個別のタイミングを指定する複数のトリガ信号を生成するよう構成されていても良い。これに対応して、トリガ信号処理部１１は、複数のトリガ信号の夫々の入力を受けるとともに、個別のトリガ信号に対して夫々信号処理を行うことによってパワー変化のタイミングを取得するよう構成されていることが好ましい。【００８０】
また、このような複数のトリガ信号を用いるために、夫々単一のトリガ信号を生成する複数のトリガ信号生成部２１と、夫々単一のトリガ信号を信号処理する複数のトリガ信号処理部１１を備えていても良いものである。【００８１】
また、トリガ信号生成部２１は、該トリガ信号とともに、該トリガ信号のエッジ抽出などの信号処理に用いられるスライスレベル信号を生成するよう構成されていても良い。このように構成によれば、例えば、一本または複数本のトリガ信号の伝送用の信号線に対して、夫々対応するまたは共通するスライスレベル信号の伝送用の信号線を備えて、構成されることが好ましい。【００８２】
また、本実施例に係るトリガ信号処理部１１は、入力される典型的にはパルス状の信号であるトリガ信号に対して、エッジ抽出などの信号処理を行う際に、該トリガ信号の立ち上がりエッジ及び立ち下がりエッジの少なくとも一方のみを検出するよう構成されていても良い。【００８３】
このような構成によれば、トリガ信号の入力に対し、立ち上がり及び立ち下がりのいずれか一方において、信号レベルがスライスレベルを超えるタイミングのみにおいて、パワー値の変化が実施されるようになる。このため、例えば、一つのモノパルス波形のライトストラテジを実現するためには、該モノパルス波形の立ち上がり及び立ち下がり（つまり、パワー値の変化）のタイミングを、２つのトリガ信号の立ち上がりまたは立ち下がりによって指定すれば良い。このとき、該モノパルス信号と等しいパルス幅となるトリガ信号を生成する必要はなくなる。また、更に、上述したように更に多数のトリガ信号によってパワー値の変化のタイミングを指定するよう構成すれば、比較的高速且つ連続でパワー値が変化するライトストラテジに対しても、トリガ信号のパルス幅を一定に保ちつつ、ライトストラテジを実現することが出来る。【００８４】
順序変更信号処理部１２は、本実施例における「順序変更手段」の一具体例であって、信号処理回路２０内において順序変更信号の生成を行う順序変更信号生成部２２に接続され、順序変更信号の入力を受ける。そこで、順序変更信号処理部１２は、入力された典型的にはパルス状の信号である順序変更信号の信号レベルを検出するなどの信号処理を行うことによって、後述するパワー値の変化の順序（以下、シーケンスパターンと記載）を制御するための制御信号をシーケンサ１３に対し入力する。このような制御信号の具体例として、シーケンサ１３においてあらかじめ設定されているパワー値のシーケンスパターンの進行（例えば、順送りや逆送り、及び順序のスキップなども含めた進行）を指示するもの、光ディスク上の一つのマーク部に対するレーザ光の照射（つまり、シーケンス）における、照射開始時のレーザ光の初期パワー値の決定を指示するもの、及び一つのシーケンスにおけるパワー値の変化の打ち切りを指示するものなどがある。尚、順序変更信号の伝送は、好適には、一のトリガ信号に対し二本の信号線を用いて、例えば、公知の差動伝送方式で行われるよう構成されている。他方で、一のトリガ信号に対し一本の信号線を用いたシングルエンド方式で行われるよう構成されていても良い。【００８５】
シーケンサ１３は、本実施例における「順序規定手段」及び「出力決定手段」の夫々を構成する部位の一具体例であって、パワー値のシーケンスパターンを規定するとともに、、トリガ信号処理部１１より入力されるトリガ信号及び順序変更信号処理部１２より入力される制御信号などに基づいて、後述するセレクタ１４にパワー値を変化させるよう指示する。より具体的には、内部に設けられるメモリなどの情報記憶手段に、一つまたは複数のパワー値のシーケンスパターンがあらかじめ規定され、格納されており、トリガ信号処理部１１において取得されたトリガ信号が示すパワー変化のタイミングにおいて、該シーケンスパターンに沿って、または、順序変更信号による制御を加えたシーケンスパターンに沿って、パワー値の選択を行うようセレクタ１４に指示する。【００８６】
尚、シーケンスパターンが格納される情報記憶手段は、少なくとも、シーケンサ１３によってシーケンスパターンを参照可能且つセレクタ１４へのパワー変化の指示が実施可能な構成であればどのような態様であっても構わないものである。【００８７】
また、シーケンサ１３は、複数の夫々異なるシーケンスパターンを規定し、格納するよう構成されていても良い。このように構成された場合、シーケンサ１３は、例えば、一のシーケンスの開始時における順序変更信号の状態などに基づいて、該シーケンスにおいて適用するシーケンスパターンを決定するよう構成されていても良い。【００８８】
また、後述するように、夫々異なるシーケンスパターンを規定し、格納する複数のシーケンサ１３を備えるよう構成されていても良いものである。【００８９】
セレクタ１４は、本実施例における「出力決定手段」を構成する部位の一具体例であって、シーケンサ１３によるパワー値変化の指示を受け、複数通りのパワー値から、一つのパワー値を決定してＤＡＣ１６へと出力する。【００９０】
パワー値保持部１５は、あらかじめ複数通りのパワー値が格納される、典型的にはレジスタなどの記憶素子である。【００９１】
ＤＡＣ１６は、本実施例における「ＤＡ変換回路」の一具体例であって、セレクタ１４からパワー値を指示する駆動信号の入力を受け、該信号をアナログ変換した後に出力バッファ１７を介してレーザダイオード４０へと出力する構成である。【００９２】
尚、シーケンサ１３に格納されるシーケンスパターンに基づき、次のトリガ信号によって指示されるタイミングにおいて決定されると予測されるパワー値を、少なくとも実際のトリガ信号の入力の以前にセレクタ１４からＤＡＣ１６へと入力されるよう構成されていても良い。【００９３】
以上、説明したように、本実施例のＬＤドライバ１０によれば、比較的小規模な回路構成でありながら、より多様なライトストラテジに適用するレーザ光のパワー制御を行うことが出来る。【００９４】
（２）基本効果例
続いて、図２から図４を参照して、本実施例に係るＬＤドライバ１０を用いた具体的な効果について説明する。一般的に、データの記録を行う際のライトストラテジは、一つのシーケンスにおけるパワー値の変化の様子によって幾つかのタイプに分類することが出来る。このようなライトストラテジの例として、例えば、Ｌ型、マルチパルス型、キャッスル型のライトストラテジが知られている。ここに、図２から図４は、夫々、Ｌ型、マルチパルス型、キャッスル型のライトストラテジの波形と、該ライトストラテジの波形を実現するための本実施例に係るＬＤドライバ１０によるトリガ信号及び順序変更信号の態様の一例を示す図である。【００９５】
図２から図４にそれぞれ示されるように、本実施例に係るＬＤドライバ１０においては、３つの個別のトリガ信号１から３を用いて、レーザ光のパワー値の変化のタイミングが指定されている。また、本実施例に係るＬＤドライバ１０においては、２つの順序変更信号１及び２を個別に、及び組み合わせて用いて、パワー値のシーケンスパターンの進行が制御されている。【００９６】
本実施例においては、このような順序変更信号１及び２が出力されている間に出力されたトリガ信号１から３により指定されるタイミングでのパワー値の変化に対して、特別な制御を行うよう構成されている。【００９７】
このような制御の一例として、例えば、図３に示される例では、順序変更信号１及び２の双方の信号レベルがローレベルである間は、トリガ信号１から３の信号レベルの変化（具体的には、立ち上がりエッジ）によってシーケンスパターンにおけるパワー値の順序を示すシーケンス値が一つずつ加算される一方で、順序変更信号１の信号レベルがハイレベル且つ、順序変更信号２の信号レベルがローレベルである間は、トリガ信号１から３の信号レベルの変化によってシーケンス値が一つずつ減算されるよう制御される。また、図２から図４の夫々に示される例では、順序変更信号１及び２の双方の信号レベルがともにハイレベルである間にトリガ信号１から３の信号レベルが変化した場合、シーケンス値を０にする、所謂打ち切り動作が行われるよう制御されている。つまり、本実施例においては、順序変更信号１及び２の状態により、トリガ信号１から３の夫々の信号レベルの変化によるパワー値の変化の態様が変更される。従って、図に示される通り、対象となるトリガ信号１から３（つまり、シーケンス値を０にするタイミングで立ち上がるトリガ信号であり、図２ではトリガ信号３、図３ではトリガ信号２、図４ではトリガ信号１）の一つ前のトリガ信号（具体的には、図２ではトリガ信号２、図３ではトリガ信号１、図４ではトリガ信号３）の信号レベルが変化した後から、遅くとも対象とされるトリガ信号の信号レベルが変化するまでの間において、順序変更信号１及び２の夫々の信号レベルが変化していれば良いため、比較的受付時間を長く取ることが可能となる。このため、順序変更信号１及び２に対しては、トリガ信号１から３に比して厳密なタイミング管理や、高速の回路構成などを必要としない。【００９８】
尚、図２から図４の夫々に示される例では、トリガ信号処理部１１は、上述したようにトリガ信号１から３の立ち上がりエッジのみを抽出することで、トリガ信号１から３の検出を行っている。【００９９】
本実施例に係るＬＤドライバ１０によれば、光ディスクに対して、このようなライトストラテジに代表されるシーケンスでのレーザ光の照射が行われる。以下に、図５から図８を参照しながら、複数のマーク部に対してデータを記録する際の動作について説明する。【０１００】
図５は、夫々２Ｔ、３Ｔ及び４Ｔの長さを有する連続するマーク部に対してデータの記録を行う際のライトストラテジが示す図である。【０１０１】
このとき、各図に示される通り、順序変更信号１及び２の夫々の状態及びそれらの組み合わせ、及び、現在のシーケンスが初期状態にあるか否かによって、トリガ信号によるパワー値の変化の態様が変化するよう構成されていても良い。ここに、シーケンスが初期状態であるとは、一のマーク部の記録終了後であって、次のマーク部の記録開始前の状態を示す趣旨である。本実施例においては、通常、シーケンスが初期状態にある場合、シーケンスの開始時の最初のトリガ信号によって、シーケンスパターンにおける最初のパワー値は常にシーケンス値＝１であるパワー値に決定される。つまり、シーケンスが初期状態にある場合、順序変更信号によるシーケンスパターンの進行の変更制御の必要がない。【０１０２】
本実施例においては、シーケンスが初期状態にある場合には、順序変更信号の解釈の態様を変更し、順序変更信号の状態によって、シーケンスの開始時のパワー値やシーケンスパターンの状態を変更するよう制御が行われても良い。より具体的には、シーケンスの開始時の最初のトリガ信号によって、シーケンスパターンにおける所定のシーケンス値であるパワー値が決定されるよう制御されても良く、また、その後のトリガ信号によるパワー値の決定において、シーケンスパターンの進行方向を変更するよう制御されても良い。【０１０３】
このようなシーケンスの開始時のパワー値の決定について、図５を参照して、シーケンスの開始時の順序変更信号の状態に着目して説明する。シーケンスが初期状態である場合（すなわちシーケンス値＝０である場合）、順序変更信号１及び２の双方の信号レベルがローレベルにある場合、シーケンスパターン通り、シーケンス値が１の状態からシーケンスが開始されるよう構成されている。また、シーケンスの開始時に、順序変更信号１の信号レベルがハイレベルにあるとともに、順序変更信号２の信号レベルがローレベルにある場合には、シーケンス値が３のパワー値からシーケンスが開始されている。また、順序変更信号１の信号レベルがローレベルにあるとともに、順序変更信号２の信号レベルがハイレベルにある場合には、シーケンス値が５のパワー値からシーケンスが開始されている。【０１０４】
図５を参照すると、一旦、マーク部に対するシーケンスが開始された後には、順序変更信号１及び２の双方の信号レベルがローレベルにある場合、シーケンス値はトリガ信号１乃至２の信号レベルの変化によって１ずつ加算される。また、順序変更信号１及び２の夫々の信号レベルがともにハイレベルにある場合（シーケンス値が２、４及び８の状態）、シーケンスの打ち切り動作が実行されている。【０１０５】
図６から図８に示される例においても同様に、シーケンスが初期状態では順序変更信号の組み合わせによってシーケンス開始時のシーケンス値が変更されている。また、一旦、マーク部に対するシーケンスが開始された後には、順序変更信号１の信号レベルがローレベルにあるとともに、順序変更信号２の信号レベルがハイレベルにある場合、シーケンスパターンを逆送りにたどってパワー値が変化するよう（つまり、トリガ信号１から３の信号レベルの変化によって、シーケンス値が１ずつ減算されるよう）制御されている。【０１０６】
特に、図６から図８に示す例では、所謂マルチパルス型のライトストラテジにおいて、２種類のパルス（具体的には、トップパルス及びバイアスパルス）が繰り返し現れる場合には、隣接する２つのパルスを２つのシーケンス値のみを用いて規定することに代えて、隣接するパルスを３つ以上のシーケンス値を用いて規定している。このため、順序変更信号１及び２の信号レベルを、１Ｔ以下のパルス幅で変化させる必要がなくなる。言い換えれば、順序変更信号１及び２の信号レベルを、１Ｔ以上のパルス幅で変化させれば足りる。これにより、順序変更信号１及び２に対しては、トリガ信号１から３に比して厳密なタイミング管理や、高速の回路構成などを必要としないという効果をより好適に享受することができる。【０１０７】
このように複数の順序変更信号を組み合わせることで、シーケンスパターンに基づくパワー値の変化の態様に対し、複数通りの複雑な制御を実施することが出来る。従って、比較的少数のパワー値のみが設定されるシーケンスパターンを用いたとしても、多様なライトストラテジを実現させることが出来る。【０１０８】
（３）第１変形例
次に、図９を参照して、本発明の実施例に係るＬＤドライバ１０の第１変形例の構成について説明する。ここに、図９は、本実施例におけるＬＤドライバ１０の第１変形例の構成を概念的に表すブロック図である。【０１０９】
第１変形例のＬＤドライバ１０は、セレクタ１４の代わりに複数のセレクタ（すなわち、セレクタａ１４ａ及びセレクタｂ１４ｂ）、ＤＡＣ１６の代わりに複数のＤＡＣ（すなわち、ＤＡＣａ１６ａ及びＤＡＣｂ１６ｂ）を備えるとともに、該複数のＤＡＣから出力された複数のアナログ信号のうち、出力バッファ１７へと入力されるアナログ信号を一つ選択するための出力選択部１８を備えて構成されている。【０１１０】
第１変形例においては、シーケンスパターン及び順序変更信号処理部１２より入力される制御信号などに基づくシーケンサ１３の動作により、次のトリガ信号によって指示されるタイミングにおいて決定される可能性のあるパワー値が、少なくとも実際のトリガ信号の入力の以前に複数のセレクタによって決定され、各パワー値がＤＡＣ１５へと入力される。ここに、決定される可能性のあるパワー値は、例えば、シーケンスパターンにおいて次の順序に設定されるパワー値（つまり、シーケンス値が一つ大きいパワー値）、順序変更信号によって、シーケンスパターンの進行方向が逆送りになった場合に次に決定されるパワー値（つまり、シーケンス値が一つ小さいパワー値）などの他、上述した順序変更信号によるシーケンスパターンの順序のスキップや打ち切り動作など、シーケンスパターンと順序変更信号による制御に基づき決定される可能性のあるパワー値であればどのようなものであっても良い。【０１１１】
尚、複数備えられるセレクタ及びＤＡＣは、上述した例以外にも、例えば、３つ以上備えられていても良い。少なくとも、シーケンスパターン上の複数のパワー値のうち、順送り、逆送り、または打ち切りなどの順序変更信号によって、次のトリガ信号によって支持されるタイミングにおいて決定される可能性のあるパワー値の一部または全部を、少なくともトリガ信号の入力以前に決定し、ＤＡＣにおいて信号処理が行えるよう構成されていれば良い。【０１１２】
以上、説明したように、第１変形例のＬＤドライバ１０によれば、あらかじめ決定される可能性のあるパワー値を、トリガ信号の変化のタイミングに先駆けてＤＡＣ１６へ出力し、信号処理を行わせることが出来る。このような構成によれば、例えば、セトリングタイムなどのＤＡＣ１６における信号処理によって、トリガ信号の変化のタイミングから、実際のレーザ光のパワーの変化のタイミングまでに生じる時間的なずれを好適に軽減することが出来る。従って、より高精度でライトストラテジを実現することが出来る。【０１１３】
（４）第２変形例
次に、図１０を参照して、本発明の実施例に係るＬＤドライバ１０の第２変形例の構成について説明する。ここに、図１０は、本実施例におけるＬＤドライバ１０の第２変形例の構成を概念的に表すブロック図である。【０１１４】
第２変形例のＬＤドライバ１０は、夫々異なるシーケンスパターンを規定する複数のシーケンサ（すなわち、シーケンサａ１３ａ及びシーケンサｂ１３ｂ）を備えて構成されている。また、該複数のシーケンサａ１３ａ及びシーケンサｂ１３ｂより、適用するシーケンサを選択するためのシーケンスセレクタ１９を更に備えて構成されている。【０１１５】
このように構成された場合、好適には、例えば、シーケンスの初期状態における順序変更信号の入力に基づいて、該シーケンスにおいて用いるシーケンサが選択される。【０１１６】
尚、複数備えられるシーケンサは、上述した例以外にも、例えば、３つ以上備えられていても良い。【０１１７】
以上、説明したように、第２変形例のＬＤドライバ１０によれば、複数通りのシーケンスパターンを規定する複数のシーケンサが備えられる。このような構成によれば、例えば、シーケンスの開始時などに、ライトストラテジに対応したシーケンサを適宜選択することで、好適なライトストラテジの実現が出来る。このとき、シーケンサにより規定されるシーケンスパターンに応じて、例えば、シーケンス中の順序変更信号の処理を軽減させることが出来、データ記録中の処理量の軽減を実現することも出来る。【０１１８】
（５）情報記録装置の構成例
次に、図１０を参照して、本実施例に係る情報記録装置１の基本構成について説明する。ここに、図１０は、本実施例に係る情報記録装置１の基本的な構成を概念的に示すブロック図である。尚、情報記録装置１は、上述のＬＤドライバ１０を備える光ピックアップ５２を備え、少なくとも、マウントされた光ディスク１００に対してデータを記録する機能を備える。【０１１９】
図１０に示すように、情報記録装置１は、実際に光ディスク１００がローディングされ且つデータの記録が行なわれるディスクドライブ５０と、該ディスクドライブ５０に対するデータの記録を制御するパーソナルコンピュータ等のホストコンピュータ３０とを備えている。【０１２０】
ディスクドライブ５０は、光ディスク１００、スピンドルモータ５１、光ピックアップ（ＰＵ：Pick up）５２、信号記録再生部５３、メモリ５４、ＣＰＵ５５、入出力制御部５６及びバス５７を備えて構成されている。また、ホストコンピュータ３０は、夫々不図示の操作／表示制御手段、操作ボタン、表示パネル、ＣＰＵ、メモリ、入出力制御手段及びバスなどを備えて構成される。【０１２１】
スピンドルモータ５１は光ディスク１００を回転及び停止させるもので、光ディスク１００へのアクセス時に動作する。より詳細には、スピンドルモータ５１は、図示しないサーボユニット等によりスピンドルサーボを受けつつ所定速度で光ディスク１００を回転及び停止させるように構成されている。【０１２２】
光ピックアップ５２は、光ディスク１００への記録を行うために、例えばレーザダイオード（ＬＤ：Laser Diode）４０、上述したＬＤドライバ１０、フォトディテクタ（ＰＤ：Photo Detector）４１、図示しないコリメータレンズや対物レンズなどを備えて構成される。より詳細には、データの記録時には、レーザダイオード４０は、ＬＤドライバ１０の制御のもと、光ディスク１００に対してレーザ光ＬＢをパワーを変更させながら照射する。このとき、ＬＤドライバ１０は、上述したようにライトストラテジを実現させるための、例えば駆動信号を生成し、レーザダイオード４０を駆動する。その結果、光ディスク１００の記録面上に、データに応じたデータパターンが形成される。【０１２３】
信号記録再生部５３は、ＣＰＵ５４の制御を受けながらスピンドルモータ５１及び光ピックアップ５２の動作を夫々制御することで、光ディスク１００に対して記録を行う。より具体的には、信号記録再生部５３は、例えば、ヘッドアンプなどによって構成されている。ヘッドアンプは、光ピックアップ５２内に設けられたフォトディテクタ４１の出力信号（即ち、レーザ光の反射光を示す信号であって、読取信号）を増幅し、該増幅した信号を出力する。また、信号記録再生部５３は、後述するホストコンピュータ３０からの光ディスク１００に係る情報や記録データなどの入力を受け、ＬＤドライバ１０へと出力する。【０１２４】
ＣＰＵ５４は、信号記録再生部５３、メモリ５５及び入出力制御部５６と、バス５７を介して接続され、信号記録再生部５３、メモリ５５及び入出力制御部５６に指示を行うことで、ディスクドライブ５０全体の制御を行う。通常、ＣＰＵ５４が動作するためのソフトウェア又はファームウェアは、メモリ５５に格納されている。【０１２５】
メモリ５５は、記録動作などに用いられるデータのバッファ領域や信号記録再生部５３で使用できるデータに変換する時の中間バッファとして使用される領域等であって、ディスクドライブ５０におけるデータ処理全般において使用される。また、メモリ５５は、情報記録装置１の動作を行うためのプログラム（即ち、ファームウェア）が格納されるＲＯＭ領域と、記録動作などに用いられるデータが一時的に格納されたりファームウェア等の動作に必要な変数等が格納されたりするＲＡＭ領域などから構成される。【０１２６】
入出力制御部５６は、ディスクドライブ５０に対する外部からのデータ入出力を制御する。ＳＣＳＩやＡＴＡＰＩなどのインタフェースを介してディスクドライブ５０と接続されている外部のホストコンピュータ３０から発行されるドライブ制御命令は、入出力制御部５６を介してＣＰＵ５４に伝達される。また、記録動作などに用いられるデータも同様に、入出力制御部５６を介して、ホストコンピュータ３０とやり取りされる。【０１２７】
以上説明した、情報記録装置１の一具体例は、例えば、公知のパーソナルコンピュータやワークステーションなどであるホストコンピュータ３０の制御のもと、データの記録を行うディスクドライブである。また、別の具体例では、映像を記録するレコーダ機器等の家庭用機器である。このレコーダ機器は、その内部にディスクドライブ部とそれをコントロールするコントロール部を備えており、このコントロール部が図１０のホストコンピュータに相当する。【０１２８】
以上説明したように、比較的小規模な回路により構成されるＬＤドライバ１０を用いても、順序変更信号によるシーケンスパターンの制御を行うことで、比較的多様なライトストラテジを実現することが出来る。このため、このようなＬＤドライバ１０を備える情報記録装置１においては、様々なデータの記録を実現することが出来る。【０１２９】
このことから、ＬＤドライバ１０の回路構成の簡易化を実現することが出来、処理量や、放熱量を好適に軽減することが出来る。【０１３０】
本発明は、上述した実施例に限られるものではなく、特許請求の範囲及び明細書全体から読み取れる発明の要旨或いは思想に反しない範囲で適宜変更可能であり、そのような変更を伴うレーザ駆動装置、信号処理回路及び情報記録装置もまた本発明の技術的範囲に含まれるものである。
【図１】
2010052778.tif 000003
【図２】
2010052778.tif 000004
【図３】
2010052778.tif 000005
【図４】
2010052778.tif 000006
【図５】
2010052778.tif 000007
【図６】
2010052778.tif 000008
【図７】
2010052778.tif 000009
【図８】
2010052778.tif 000010
【図９】
2010052778.tif 000011
【図１０】
2010052778.tif 000012
【図１１】
2010052778.tif 000013
【国際調査報告】
2010052778.tif 000014
2010052778.tif 000015
2010052778.tif 000016
2010052778.tif 000017